(57)【要約】      （修正有）【課題】地震の振動に限らず、揺らすことにより容易に発光させることが可能なバルーンを提供する。【解決手段】バルーン１は、頂部から下垂するポケット２０と、ポケット２０の下部に封入されたＬＥＤ発光体３０と、を備える。ＬＥＤ発光体３０は、加速度を検出して発光するものとし、バルーン１が揺れると発光し、ポケット２０を頂部を固定して下部を振動させることが可能なものとすることで、バルーン１の揺れが停止してもポケット２０の下部の揺れを継続させることができる。【選択図】図１
0003222668.tif 000002
【実用新案登録請求の範囲】
【請求項１】
加速度を検出して発光するＬＥＤ発光体を内部に有するバルーンであって、
頂部から下垂するポケットと、
前記ポケットの下部に封入されたＬＥＤ発光体とを備えることを特徴とする、バルーン。
【請求項２】
前記ポケットは、頂部を固定して下部を振動させることが可能な柔軟性を有することを特徴とする、請求項１に記載のバルーン。 
【考案の詳細な説明】
【技術分野】
【０００１】
本考案は、内部にＬＥＤを搭載したバルーンに関する。
【背景技術】
【０００２】
従来、室内の天井に取り付けられる感震ＬＥＤ照明器具が存在する（例えば、特許文献１参照）。特許文献１に記載の感震ＬＥＤ照明器具には、ＬＥＤ及び加速度センサが搭載されており、天井が地震により振動すると加速度センサが加速度を検知してＬＥＤを発光させる。
【先行技術文献】
【特許文献】
【０００３】
【特許文献１】特開２０１７−２２４４２１号公報
【考案の概要】
【考案が解決しようとする課題】
【０００４】
しかしながら、このような感震ＬＥＤ照明器具は天井に固定されているため、天井が地震で振動しないと発光せず、用途が限定的であった。
【０００５】
本考案は、地震の振動に限らず、揺らすことにより容易に発光させることが可能なバルーンを提供することを課題とする。
【課題を解決するための手段】
【０００６】
本考案のバルーンは、
加速度を検出して発光するＬＥＤ発光体を内部に有するバルーンであって、
頂部から下垂するポケットと、
前記ポケットの下部に封入されたＬＥＤ発光体とを備えることを特徴とする。
【０００７】
この特徴によれば、バルーンを揺らすことで、バルーンの頂部から下垂するポケットの下部に封入されたＬＥＤ発光体が揺れて加速度を検知し、ＬＥＤ発光体を容易に発光させることができる。
【０００８】
本考案のバルーンは、
前記ポケットは、頂部を固定して下部を振動させることが可能な柔軟性を有することを特徴とする。
【０００９】
この特徴によれば、ポケットは頂部を固定して下部を振動させることが可能な柔軟性を有するため、バルーンを揺らすことで、バルーンの頂部から下垂するポケットが揺れ、ポケットの下部に封入されたＬＥＤ発光体も揺れて加速度を検知し、ＬＥＤ発光体を容易に発光させることができる。また、バルーンの揺れが停止してもポケットの下部の揺れを継続させることができるため、ＬＥＤ発光体の発光を継続させることができる。
【考案の効果】
【００１０】
本考案によれば、バルーンを揺らすことで、バルーンの頂部から下垂するポケットの下部に封入されたＬＥＤ発光体が揺れて加速度を検知し、ＬＥＤ発光体を発光させることができる。
【図面の簡単な説明】
【００１１】
【図１】図１は、本発明の実施形態に係るバルーンの全体構成図である。
【考案を実施するための形態】
【００１２】
以下、本考案の実施形態について図面を参照して説明する。
【００１３】
図１は、本実施形態に係るバルーン１の全体構成図である。図１に示すように、バルーン１は全体を覆うバルーン本体１０を備えている。バルーン本体１０は、例えば、ビニール等の光透過性及び柔軟性のある合成樹脂で形成されている。バルーン本体１０には内部に空気を出し入れするための空気孔（不図示）及び当該空気孔を塞ぐ栓（不図示）が設けられており、内部に空気を充填した状態とすることができるように構成されている。
【００１４】
図１に示すように、本実施形態に係るバルーン１はソフトクリームの外形を有しており、例えば、ソフトクリーム販売店の店頭に設置することができる。なお、バルーン１の外形はソフトクリームに限定されることはなく、例えば、人、動物、卵型、ハート型、星型等、任意の外形とすることができる。また、バルーン本体１０の光の透過率は全体がゼロにならなければよく、バルーン本体１０の表面に模様を描いたり、色彩を付したりすることにより、光の透過率が低下してもよい。
【００１５】
バルーン本体１０内部の頂部１２には、当該頂部１２から下垂する細長いポケット２０が設けられている。当該ポケット２０は、当該ポケット２０の頂部２２を固定して下部２４を振動させることが可能な柔軟性を有している。当該ポケット２０の素材としては、ビニール、布、紙等の柔軟な素材を用いることができる。ポケット２０の下部２４の振動の大きさの程度を勘案して、ポケット２０の長さや素材を調整することができる。
【００１６】
ポケット２０の上部には、ポケット２０の内部に物を出し入れするための開口（不図示）が設けられている。ポケット２０の下部２４には、加速度を検出して発光するＬＥＤ発光体３０が封入されている。加速度によりＬＥＤを発光させる技術は公知の技術を用いることができる。
【００１７】
例えば、ＬＥＤ発光体３０は、ＬＥＤが実装されたＬＥＤ基板と、ＬＥＤの発光を駆動する電源モジュール及び電池が搭載された電源基板と、ＬＥＤの発光を制御する制御部と、加速度を検知する加速度センサと、を備えており、ＬＥＤ制御部は、加速度センサにより振動が検知されると、電源モジュールを駆動して電力をＬＥＤに供給し、ＬＥＤを発光させる。
【００１８】
ポケット２０にＬＥＤ発光体３０を封入する際には、ＬＥＤが主に側方を照射できるように、ポケット２０をバルーン本体１０から下垂させた際にＬＥＤ基板のＬＥＤ実装面が側方を向くように封入するのが好ましい。この場合、封入した後にＬＥＤ発光体３０がポケット２０内を移動して向きを変えないように、ＬＥＤ発光体３０をポケット２０の内面に貼り付けたり、縫い付けたりしてもよい。
【００１９】
上記構成のバルーン１を例えば店頭に設置した場合には、風が吹いたり人が触れたりした場合にバルーン１及び当該バルーン１内のポケット２０が容易に揺れて、ＬＥＤ発光体３０が容易に発光するため、通行人の注意を引くことができる。或いは、上記構成のバルーン１の下端を、電動で回転可能な台座に設置し、台座を常時回転させておくことで、バルーン１内のＬＥＤ発光体３０を常時発光させることができる。或いは、バルーン１の頂部１２を店の軒先に吊るしてもよく、この場合にはバルーン１は容易に揺れたり回転するため、バルーン１内のＬＥＤ発光体３０を常時発光させることができる。
【００２０】
以上、説明したように、バルーン１を揺らすことで、バルーン１の頂部１２から下垂するポケット２０が揺れ、ポケット２０の下部２４に封入されたＬＥＤ発光体３０が揺れて加速度を検知し、ＬＥＤ発光体３０を容易に発光させることができる。また、バルーン本体１０を柔軟な素材で形成することで、バルーン本体１０の一端を床、壁、天井等に固定した場合でも、バルーン１を容易に揺らすことができる。また、ポケット２０を、頂部２２を固定して下部２４を振動させることが可能な柔軟性の有る素材で形成することで、バルーン１の揺れが停止しても、ポケット２０の下部２４の揺れを継続させることができ、ＬＥＤ発光体３０の発光を継続させることができる。
【００２１】
なお、バルーン本体１０の下部に錘を取り付けて、水に浮かべてもよい。この場合には、複数のバルーン１を水に浮かべてバルーン１同士を接触させることで、当該バルーン１同士を発光させることができる。
【００２２】
また、上述した実施形態では、バルーン本体１０をビニール等の柔軟な素材で形成し、内部に空気を充填した状態とすることができるとして説明したが、これに限定されることはなく、例えば、バルーン本体１０をゴム等の弾性のある素材で形成し、内部に空気を充填して風船のように空中に浮かべてもよいし、形状が変化しないプラスチック容器で形成してもよい。
【産業上の利用可能性】
【００２３】
本考案に係るバルーンは、地震の振動の検知のみならず、店頭や店内に設置したり、水遊び、装飾用等、様々な用途に利用することができる。
【符号の説明】
【００２４】
１    バルーン
１０  バルーン本体
１２  頂部
２０  ポケット
２２  頂部
２４  下部
３０  ＬＥＤ発光体 
【図１】
0003222668.tif 000003